【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
ユーザからの撮影指示に応答して取得された撮像データに基づいて動画像データを生成するように構成された画像処理部と、
前記動画像データを記録媒体に記録するように構成されたコントローラであって、前記記録媒体に動画像ファイルが既に記録されており、かつ前記動画像データが既存の前記動画像ファイルと関連しているとき、または前記ユーザが追記することを選択したとき、前記動画像データを、既存の前記動画像ファイルに追記するように構成されたコントローラと、
を備える画像処理装置。
【請求項２】
前記コントローラは、
前記記録媒体に動画像ファイルがまだ記録されていないとき、
前記記録媒体に動画像ファイルが既に記録されているが、前記動画像データが既存の前記動画像ファイルと関連していないとき、または
前記記録媒体に動画像ファイルが既に記録されているが、前記ユーザが追記しないことを選択したとき、
前記動画像データを新規に作成した動画像ファイルに記録するように構成されている、請求項１に記載の画像処理装置。
【請求項３】
前記コントローラは、前記動画像データと前記記録媒体に記録されている動画像ファイルとの関係が、ユーザによって設定された条件に合致するとき、前記動画像ファイルが前記動画像データに関連すると判定する、請求項１または２に記載の画像処理装置。
【請求項４】
前記条件は、異なる複数のモードの中からユーザが少なくとも１つのモードを選択することによって設定される、請求項３に記載の画像処理装置。
【請求項５】
前記コントローラは、前記動画像データに関連付けられた撮影情報に基づいて、前記動画像データに関連する動画像ファイルが前記記録媒体に既に記録されているか否かを判定する、請求項１から４のいずれかに記載の画像処理装置。
【請求項６】
前記撮影情報は、前記動画像データの撮影時の撮影モードに関する情報を含む、請求項５に記載の画像処理装置。
【請求項７】
前記撮影情報は、前記動画像データの撮影場所を示す地理情報を含む、請求項５または６に記載の画像処理装置。
【請求項８】
前記撮影情報は、前記動画像データが示す動画像に含まれる特定の被写体に関する情報を含む、請求項５から７のいずれかに記載の画像処理装置。
【請求項９】
前記撮影情報は、前記動画像データの撮影日時を示す情報を含む、請求項５から８のいずれかに記載の画像処理装置。
【請求項１０】
前記コントローラは、前記動画像データの時間が予め設定された第１の時間よりも短いときには、前記動画像データを前記記録媒体に既に記録されている動画像ファイルに追記しないように構成されている、請求項１から９のいずれかに記載の画像処理装置。
【請求項１１】
前記コントローラは、前記撮影指示の時点と、前回生成された動画像データの撮影指示の時点との時間間隔が、予め設定された第２の時間よりも短いときには、前記動画像データを前記動画像ファイルに追記しないように構成されている、請求項１から１０のいずれかに記載の画像処理装置。
【請求項１２】
前記コントローラは、前記記録媒体に動画像ファイルが既に記録されているとき、前記動画像データを既存の前記動画像ファイルに追記するか否かを選択させる画面をディスプレイに表示させ、ユーザが追記することを選択したとき、前記動画像データを既存の前記動画像ファイルに追記する、請求項１または２に記載の画像処理装置。
【請求項１３】
前記コントローラは、前記記録媒体に複数の動画像ファイルが既に記録されているとき、前記動画像データを前記複数の動画像ファイルのどの動画像ファイルに追記するかを選択させる画像をディスプレイに表示させ、ユーザが特定の動画像ファイルに追記することを選択したとき、前記動画像データを選択された前記特定の動画像ファイルに追記するように構成されている、請求項１２に記載の画像処理装置。
【請求項１４】
ユーザの撮影指示に応答して生成された動画像データを、他の装置から取得するように構成されたインターフェースと、
前記動画像データを記録媒体に記録するように構成されたコントローラであって、前記記録媒体に動画像ファイルが既に記録されており、かつ前記動画像データが既存の前記動画像ファイルと関連しているとき、または前記ユーザが追記することを選択したとき、前記動画像データを、既存の前記動画像ファイルに追記するように構成されたコントローラと、
を備える画像処理装置。
【請求項１５】
請求項１から１４のいずれかに記載の画像処理装置と、
ユーザの撮影指示に応答して撮像データを生成して前記画像処理装置に出力するように構成された撮像部と、
を備える撮像装置。
【請求項１６】
画像処理装置において用いられるコンピュータプログラムであって、前記画像処理装置に搭載されたコンピュータに、
ユーザの撮影指示に応答して動画像データを生成するステップと、
記録媒体に動画像ファイルが既に記録されており、かつ前記動画像データが既存の前記動画像ファイルと関連しているとき、または前記ユーザが追記することを選択したとき、前記動画像データを、既存の前記動画像ファイルに追記するステップと、
を実行させるコンピュータプログラム。
【請求項１７】
画像処理装置において用いられるコンピュータプログラムであって、前記画像処理装置に搭載されたコンピュータに、
ユーザの撮影指示に応答して生成された動画像データを、他の装置から取得するステップと、
記録媒体に動画像ファイルが既に記録されており、かつ前記動画像データが既存の前記動画像ファイルと関連しているとき、または前記ユーザが追記することを選択したとき、前記動画像データを、既存の前記動画像ファイルに追記するステップと、
を実行させるコンピュータプログラム。
【手続補正２】
【補正対象書類名】明細書
【補正対象項目名】００２４
【補正方法】変更
【補正の内容】
【００２４】
画像処理部２０３は、ＡＦＥ２０２に接続され、ＡＦＥ２０２から出力された撮像データに対して各種処理を施し画像データを生成する回路である。各種処理の例としては、ガンマ補正、ホワイトバランス補正、輝度・色差（ＹＣ）変換処理、電子ズーム処理、圧縮処理、伸張処理等が挙げられるが、これらに限定されるものではない。画像処理部２０３は、ＡＦＥ２０２から出力された撮像データに基づいて、その撮像データが示す画像領域の中から特定の被写体の特徴点を抽出することにより、被写体の識別を行うことができる。例えば、予め人物の顔の特徴点を登録しておけば、その人物の顔の認証を行うことができる。
【手続補正３】
【補正対象書類名】明細書
【補正対象項目名】００４５
【補正方法】変更
【補正の内容】
【００４５】
ＧＰＳユニット２７０は、人工衛星による測位システムを利用して、デジタルカメラ１００の現在位置を検出するＧＰＳ受信機である。コントローラ２１０は、ＧＰＳユニット２７０を介して、現在位置に関する情報（緯度、経度など）を取得することができる。デジタルカメラ１００は、ＧＰＳユニット２７０から取得した現在位置に関する情報と、撮影画像（静止画像、チャプター等の動画像）とを関連付けることができる。静止画撮影のときの現在位置に関する情報は、後述する管理データベースによって管理される。
【手続補正４】
【補正対象書類名】明細書
【補正対象項目名】０１０２
【補正方法】変更
【補正の内容】
【０１０２】
まず、コントローラ２１０は、ＧＰＳユニット２７０から現在地における地理情報（緯度、経度など）を取得する。コントローラ２１０は、現在地が予め設定された特定の地域内であるか否かを判断する（ステップＳ４３０）。特定の地域とは、国、都道府県、市町村など、任意の行政区画であってもよいし、行政区間以外で任意に定義された地域であってもよい。ユーザは、用意されている地域の中から、ダイジェスト動画を作成する対象の地域を予め選択しておく。コントローラ２１０は、ユーザによって選択された地域（特定の地域）で撮影されたチャプターにより、ダイジェスト動画を作成する。
【手続補正５】
【補正対象書類名】明細書
【補正対象項目名】０１０９
【補正方法】変更
【補正の内容】
【０１０９】
まず、コントローラ２１０は、ＧＰＳユニット２７０から現在地における地理情報（緯度、経度など）を取得する。コントローラ２１０は、現在地がトラベルエリアか否かを判断する（ステップＳ４４０）。
【手続補正６】
【補正対象書類名】明細書
【補正対象項目名】０１８６
【補正方法】変更
【補正の内容】
【０１８６】
１００    デジタルカメラ
１１０    レリーズボタン
１１２    電源
１１３    フラッシュ（エレクトロニックフラッシュ）
１１４    ＡＦ補助光源
１２０    メニュー釦
１２１    十字釦
２００    光学系
２０１    ＣＣＤイメージセンサ
２０２    ＡＦＥ（アナログ・フロント・エンド）
２０３    画像処理部
２０４    液晶ディスプレイ
２０５    バッファメモリ
２１０    コントローラ
２２０    カードスロット
２２１    メモリカード
２２２    フラッシュメモリ
２２３    操作部
２５０    通信インターフェース
２６０    スルー画像生成部
２７０    ＧＰＳユニット